(57)【要約】【課題】地中熱を利用する空気調和装置であって、室内温度を下げ過ぎることなく除湿を行うことができる空気調和装置を提供する。【解決手段】一側の開口端３１が屋外に開放され、途中部分３２が地中に埋設されて、他側の開口端３３が屋内に引き込まれた地中埋設流路３０と、屋内に設置された除湿ユニット４０とを備える。除湿ユニット４０は、開口端３３に接続され、該地中埋設流路３０から導入された外気ＯＡ及び還気ＲＡの混合空気を屋内に供給する除湿側流路４０ａと、一側の開口端及び他側の開口端が屋外及び屋内に開放され、屋内の空気を屋外に排出する再生側流路４０ｂと、除湿側流路４０ａ及び再生側流路４０ｂに跨って設けられ除湿側流路４０ａを通る混合空気から水分を吸着する吸着剤の担持された除湿ロータ４２と、再生側流路４０ｂに設けられ吸着剤を加熱して該吸着剤に吸着された水分を放出させる再生熱交換器５１とを備える。【選択図】図１
2010121832.tif 000002
【特許請求の範囲】
【請求項１】
一側の開口端が屋外に開放され、途中部分が地中に埋設されて、他側の開口端が屋内に引き込まれた地中埋設流路と、
屋内に設置された除湿手段とを備え、
前記除湿手段は、
前記地中埋設流路の他側の開口端に接続され、該地中埋設流路から導入された外部の空気及び屋内の空気の混合空気を屋内に供給する除湿側流路と、
一側の開口端及び他側の開口端が屋外及び屋内に開放され、屋内の空気を屋外に排出する再生側流路と、
前記除湿側流路及び前記再生側流路に設けられ、前記除湿側流路を通る前記混合空気から水分を吸着する吸着剤の担持された除湿再生部材と、
前記再生側流路に設けられ、前記吸着剤を加熱して該吸着剤に吸着された水分を放出させる加熱手段とを備えたことを特徴とする空気調和装置。
【請求項２】
請求項１に記載の空気調和装置において、
ガスエンジン、該ガスエンジンにより駆動されて冷媒を吸入するとともに該吸入した冷媒を圧縮して吐出するコンプレッサ及び冷房運転時は冷媒の凝縮器として機能し暖房運転時は冷媒の蒸発器として機能する室外機熱交換器を有する室外機と、
冷房運転時は冷媒の蒸発器として機能し暖房運転時は冷媒の凝縮器として機能する室内機熱交換器を有する室内機と、
前記コンプレッサから吐出された冷媒が該コンプレッサに吸入されるまでの流路を形成して、前記室外機熱交換器及び前記室内機熱交換器に冷媒を循環させる冷媒回路と、
前記ガスエンジンの排熱との間で熱交換する温水を循環させる温水回路とを備え、
前記加熱手段は、前記温水回路に設けられ該温水回路を循環する温水によって前記再生側流路を通る屋内の空気を加熱する再生熱交換器であることを特徴とする空気調和装置。
【請求項３】
請求項１に記載の空気調和装置において、
発電ユニットの排熱との間で熱交換する温水を循環させる発電側温水回路を備え、
前記加熱手段は、前記発電側温水回路に設けられ該発電側温水回路を循環する温水によって前記再生側流路を通る屋内の空気を加熱する再生熱交換器であることを特徴とする空気調和装置。
【請求項４】
請求項１に記載の空気調和装置において、
前記除湿側流路及び前記再生側流路は、前記地中埋設流路の他側の開口端に接続されて該地中埋設流路から導入された外部の空気及び屋内の空気の混合空気を屋内に供給可能な除湿状態と、一側の開口端及び他側の開口端が屋外及び屋内に開放されて屋内の空気を屋外に排出可能な再生状態とに選択的に切替自在な第１流路及び第２流路のいずれか一方及び他方で構成されており、
前記除湿再生部材は、第１流路及び第２流路にそれぞれ設けられた第１熱交換器及び第２熱交換器で構成されており、
ガスエンジン及び該ガスエンジンにより駆動されて冷媒を吸入するとともに該吸入した冷媒を圧縮して吐出するコンプレッサを有する室外機と、
前記コンプレッサから吐出された冷媒が該コンプレッサに吸入されるまでの流路を形成して、前記第１及び第２熱交換器に冷媒を循環させる冷媒回路と、
前記第１及び第２熱交換器の機能を冷媒の凝縮器及び蒸発器として選択的に切り替える冷媒回路切替手段とを備え、
前記加熱手段は、前記再生状態にある前記第１及び第２流路のいずれか一方に設けられ冷媒の凝縮器として機能する前記第１又は第２熱交換器であって、該冷媒によって当該第１又は第２熱交換器に担持された前記吸着剤を加熱することを特徴とする空気調和装置。
【発明の詳細な説明】
【技術分野】
【０００１】
本発明は、空気調和装置に関するものである。
【背景技術】
【０００２】
従来、空気調和装置としては、例えば特許文献１に記載されたものが知られている。この空気調和装置は、エンジン駆動式であって、室内機熱交換器の空気取り入れ口には、一端が外部に開放され途中部分が地中に埋設された地中パイプが接続されている。この場合、地中温度は年間を通して温度変化が小さいことから、室内換気のために導入される外部の空気（外気）を室内機熱交換器に供給する前に地中パイプに通すことで、冬季は導入外気を温めることができ、夏季は導入外気を冷やすことができる。これにより、室内機熱交換器に供給される外気の温度が室内目標温度（室内設定温度）に近付けられ、その分、空気調和装置の空調負荷が軽減されて、空調効率の向上が図られる。
【０００３】
また、この空気調和装置では、冬季における暖房能力を向上すべく、地中パイプで温められた外気を、エンジン排気ガスやエンジン冷却液、付設されるコージェネレーションユニットの温水排熱などで更に温めることが併せて提案されている。
【特許文献１】特開２００６−１００９０号公報
【発明の開示】
【発明が解決しようとする課題】
【０００４】
ところで、特許文献１の空気調和装置において、例えば地中パイプにおける外気の冷却は、顕熱比が高く減湿量が小さいため温度が下がっても湿度が高いままで不快となることがある。従って、夏季に導入外気により持ち込まれる湿度分や屋内で発生する湿度分を除湿するには、空気調和装置を冷房運転又は除湿運転して除湿を行うことになる。一般に、空調制御では、室温に基づきオン・オフ制御を行うため、特に気温がさほど高くなく湿度が高い状態で空気調和装置の除湿運転を開始すると、温度低下に伴う冷え過ぎで寒くなり、あるいは室内設定温度を上げると空気調和装置の運転が停止して除湿が不完全となり、不快となることがある。
【０００５】
本発明の目的は、地中熱を利用する空気調和装置であって、室内温度を下げ過ぎることなく除湿を行うことができる空気調和装置を提供することにある。
【課題を解決するための手段】
【０００６】
上記問題点を解決するために、請求項１に記載の発明は、一側の開口端が屋外に開放され、途中部分が地中に埋設されて、他側の開口端が屋内に引き込まれた地中埋設流路と、屋内に設置された除湿手段とを備え、前記除湿手段は、前記地中埋設流路の他側の開口端に接続され、該地中埋設流路から導入された外部の空気及び屋内の空気の混合空気を屋内に供給する除湿側流路と、一側の開口端及び他側の開口端が屋外及び屋内に開放され、屋内の空気を屋外に排出する再生側流路と、前記除湿側流路及び前記再生側流路に設けられ、前記除湿側流路を通る前記混合空気から水分を吸着する吸着剤の担持された除湿再生部材と、前記再生側流路に設けられ、前記吸着剤を加熱して該吸着剤に吸着された水分を放出させる加熱手段とを備えたことを要旨とする。
【０００７】
同構成によれば、地中温度は年間を通して温度変化が小さいことから、外部の空気を前記地中埋設流路に通すことで、冬季は温めることができ、夏季は冷やすことができる。この際、導入された外部の空気により持ち込まれる湿度分や屋内で発生する湿度分は、前記混合空気が前記除湿側流路を通る際に、前記熱交換器に担持された吸着剤に水分が吸着されて除湿される。そして、前記吸着剤に吸着された水分は、該吸着剤が前記加熱手段にて加熱されることで放出され、前記再生側流路を通る屋内の空気とともに屋外に排出される。このように、前記地中埋設流路から外部の空気を導入する際に、前記除湿手段にて前記混合空気を除湿することができ、例えば室内温度を下げ過ぎることなく除湿を行うことができる。
【０００８】
請求項２に記載の発明は、請求項１に記載の空気調和装置において、ガスエンジン、該ガスエンジンにより駆動されて冷媒を吸入するとともに該吸入した冷媒を圧縮して吐出するコンプレッサ及び冷房運転時は冷媒の凝縮器として機能し暖房運転時は冷媒の蒸発器として機能する室外機熱交換器を有する室外機と、冷房運転時は冷媒の蒸発器として機能し暖房運転時は冷媒の凝縮器として機能する室内機熱交換器を有する室内機と、前記コンプレッサから吐出された冷媒が該コンプレッサに吸入されるまでの流路を形成して、前記室外機熱交換器及び前記室内機熱交換器に冷媒を循環させる冷媒回路と、前記ガスエンジンの排熱との間で熱交換する温水を循環させる温水回路とを備え、前記加熱手段は、前記温水回路に設けられ該温水回路を循環する温水によって前記再生側流路を通る屋内の空気を加熱する再生熱交換器であることを要旨とする。
【０００９】
同構成によれば、前記吸着剤に吸着された水分の放出（再生）を、前記ガスエンジンの排熱を利用する再生熱交換器（温水）で前記再生側流路を通る屋内の空気を加熱して行うことができる。
【００１０】
請求項３に記載の発明は、請求項１に記載の空気調和装置において、発電ユニットの排熱との間で熱交換する温水を循環させる発電側温水回路を備え、前記加熱手段は、前記発電側温水回路に設けられ該発電側温水回路を循環する温水によって前記再生側流路を通る屋内の空気を加熱する再生熱交換器であることを要旨とする。
【００１１】
同構成によれば、前記吸着剤に吸着された水分の放出（再生）を、前記発電ユニットの排熱を利用する再生熱交換器（温水）で前記再生側流路を通る屋内の空気を加熱して行うことができる。
【００１２】
請求項４に記載の発明は、請求項１に記載の空気調和装置において、前記除湿側流路及び前記再生側流路は、前記地中埋設流路の他側の開口端に接続されて該地中埋設流路から導入された外部の空気及び屋内の空気の混合空気を屋内に供給可能な除湿状態と、一側の開口端及び他側の開口端が屋外及び屋内に開放されて屋内の空気を屋外に排出可能な再生状態とに選択的に切替自在な第１流路及び第２流路のいずれか一方及び他方で構成されており、前記熱交換器は、第１流路及び第２流路にそれぞれ設けられた第１熱交換器及び第２熱交換器で構成されており、ガスエンジン及び該ガスエンジンにより駆動されて冷媒を吸入するとともに該吸入した冷媒を圧縮して吐出するコンプレッサを有する室外機と、前記コンプレッサから吐出された冷媒が該コンプレッサに吸入されるまでの流路を形成して、前記第１及び第２熱交換器に冷媒を循環させる冷媒回路と、前記第１及び第２熱交換器の機能を冷媒の凝縮器及び蒸発器として選択的に切り替える冷媒回路切替手段とを備え、前記加熱手段は、前記再生状態にある前記第１及び第２流路のいずれか一方に設けられ冷媒の凝縮器として機能する前記第１又は第２熱交換器であって、該冷媒によって当該第１又は第２熱交換器に担持された前記吸着剤を加熱することを要旨とする。
【００１３】
同構成によれば、前記再生状態にある前記第１及び第２流路のいずれか一方に設けられ冷媒の凝縮器として機能する前記第１又は第２熱交換器に担持された前記吸着剤を冷媒で加熱することで、該吸着剤に吸着された水分を放出（再生）させることができる。
【発明の効果】
【００１４】
本発明では、地中熱を利用する空気調和装置であって、室内温度を下げ過ぎることなく除湿を行うことができる空気調和装置を提供することができる。
【発明を実施するための最良の形態】
【００１５】
（第１の実施形態）
以下、本発明を具体化した第１の実施形態について図面に従って説明する。
図１は、本実施形態に係る空気調和装置を示す回路図である。同図に示されるように、建物１０の内部（屋内）は、床１１及び天井１２によって床下１０ａ、室内１０ｂ及び天井裏１０ｃの３つの空間に区画されている。そして、建物１０の外部（屋外）に設置された室外機２１を備えるとともに、天井裏１０ｃに設置された埋込み型の室内機２２を備える。
【００１６】
室外機２１には、ガスエンジン２３及び該ガスエンジン２３により駆動されるコンプレッサ２４が設置されている。ガスエンジン２３は、供給されるガスの燃焼によって駆動される。そして、ガスエンジン２３の排気ガスは、排熱熱交換器２９を通過して外部に排出される。コンプレッサ２４は、四方弁（図示略）を介して冷媒配管２０ａ，２０ｂに接続されており、該冷媒配管２０ａ，２０ｂのいずれか一方から冷媒を吸入するとともに該吸入した冷媒を圧縮して冷媒配管２０ａ，２０ｂのいずれか他方に吐出する。
【００１７】
また、室外機２１には、冷媒配管２０ｂに接続された室外機熱交換器２５が設置されている。この室外機熱交換器２５は、冷房運転時は冷媒の凝縮器として機能し暖房運転時は冷媒の蒸発器として機能するもので、冷媒配管２０ｃを介して室内機２２に接続されている。
【００１８】
一方、室内機２２には、前記冷媒配管２０ａに接続された室内機熱交換器２６が設置されている。この室内機熱交換器２６は、冷房運転時は冷媒の蒸発器として機能し暖房運転時は冷媒の凝縮器として機能するもので、室内機２２には、室内機熱交換器２６に冷媒配管２０ｄを介して接続された膨張弁２７が設置されている。そして、膨張弁２７は、前記冷媒配管２０ｃを介して室外機熱交換器２５に接続されている。
【００１９】
冷媒配管２０ａ〜２３ｄは、コンプレッサ２４から吐出された冷媒が該コンプレッサ２４に吸入されるまでの流路を形成して、室外機熱交換器２５及び室内機熱交換器２６に冷媒を循環させる冷媒回路２０を構成する。
【００２０】
屋内には、地中埋設流路３０が設置されている。この地中埋設流路３０は、一側の開口端３１が天井裏１０ｃで屋外に開放され、途中部分（地中パイプ）３２が地中に埋設されて、他側の開口端３３が天井裏１０ｃに引き込まれている。また、地中埋設流路３０は、ダンパー３４を介して室内１０ｂに開放されている。従って、地中埋設流路３０は、外部の空気（以下、「外気ＯＡ」という）及び屋内の空気（以下、「還気ＲＡ」という）の混合空気を天井裏１０ｃに導入する。なお、地中温度は年間を通して温度変化が小さいことから、外気ＯＡは、地中埋設流路３０を通ることで、冬季は温められ、夏季は冷やされる。
【００２１】
天井裏１０ｃには、除湿手段としての除湿ユニット４０が設置されている。この除湿ユニット４０は、隔壁４１により区画された互いに略独立の除湿側流路４０ａ及び再生側流路４０ｂを有する。そして、隔壁４１上に延在する回転軸を中心に回転自在な除湿ロータ４２及び顕熱ロータ４３が並設されている。除湿ロータ４２及び顕熱ロータ４３は、互いに独立で回転駆動可能であって、各々の回転位置に関わらず除湿側流路４０ａ又は再生側流路４０ｂの空気の流れを許容するハニカム形状を呈している。また、除湿ロータ４２には、シリカゲルやゼオライト等の吸着剤が担持されている。
【００２２】
除湿側流路４０ａは、地中埋設流路３０の開口端３３に接続されるとともに、空気配管４４を介して室内機２２に接続されている。従って、地中埋設流路３０から導入された外気ＯＡ及び還気ＲＡの混合空気は、除湿側流路４０ａ及び空気配管４４を介して室内機２２に導入される。一方、再生側流路４０ｂは、天井裏１０ｃに開放されるとともに、空気配管４５を介して屋外に開放されている。そして、再生側流路４０ｂには、除湿ロータ４２よりも空気配管４５寄りに配置された送風ファン４６が設置されている。従って、再生側流路４０ｂに導入された還気ＲＡは、送風ファン４６に送られて空気配管４５を介して外部に排気ＥＡとして排出される。
【００２３】
また、再生側流路４０ｂには、除湿ロータ４２及び顕熱ロータ４３間に配置された加熱手段としての再生熱交換器５１が設置されている。この再生熱交換器５１は、前記排熱熱交換器２９に接続された水配管５０ａに接続されている。水配管５０ａは、排熱熱交換器２９を介して温水ポンプ５２に接続されている。従って、水配管５０ａを流れる温水は、ガスエンジン２３の排熱との間で熱交換する。
【００２４】
温水ポンプ５２は、水配管５０ｂを介して開閉弁５３に接続されている。そして、開閉弁５３は、水配管５０ｃを介して再生熱交換器５１に接続されている。従って、開閉弁５３が開状態にあるとき、温水ポンプ５２が駆動されると、ガスエンジン２３の排熱との間で熱交換する温水が水配管５０ａ〜５０ｃを循環する。水配管５０ａ〜５０ｃは、温水回路５０を構成する。そして、前記再生熱交換器５１は、温水回路５０を循環する温水によって再生側流路４０ｂを通る還気ＲＡを加熱する。
【００２５】
ここで、本実施形態の動作について説明する。
まず、冷媒の流れについて説明する。
［冷房］
冷房運転時、ガスエンジン２３により駆動されるコンプレッサ２４は、冷媒配管２０ａから冷媒を吸入するとともに該吸入した冷媒を圧縮して冷媒配管２０ｂに吐出する。これにより、冷媒は、矢印Ｂ方向に流れる。そして、コンプレッサ２４を出た冷媒は、室外機熱交換器２５に導かれる。ここで、冷媒は、外気により熱を奪われて凝縮・液化する。その後、冷媒配管２０ｃを通り室内機２２の膨張弁２７で減圧された冷媒は、室内機熱交換器２６で室内の熱を奪い気化する。その後、冷媒は、冷媒配管２０ａを通りコンプレッサ２４に戻る。
［暖房］
暖房運転時、ガスエンジン２３により駆動されるコンプレッサ２４は、冷媒配管２０ｂから冷媒を吸入するとともに該吸入した冷媒を圧縮して冷媒配管２０ａに吐出する。これにより、冷媒は、矢印Ａ方向に流れる。そして、コンプレッサ２４を出た冷媒は、冷媒配管２０ａを通り室内機熱交換器２６に導かれる。ここで、冷媒は、屋内へ熱を放出し、凝縮・液化する。その後、室内機２２の膨張弁２７で減圧された冷媒は、冷媒配管２０ｃを通り室外機熱交換器２５に導かれる。冷媒は、室外機熱交換器２５で外気から熱を吸収し気化する。その後、冷媒は、冷媒配管２０ｂを通りコンプレッサ２４に戻る。
【００２６】
次に、空気の流れについて説明する。なお、冷房又は暖房運転時、ダンパー３４は開状態にあり、地中埋設流路３０に還気ＲＡが導入されることで適正量の外気ＯＡが導入されるようになっている。
［冷房］
冷房運転時、導入した外気ＯＡは地中埋設流路３０を通ることで予め冷やされ、除湿ユニット４０の除湿側流路４０ａに導かれる。このとき、除湿ロータ４２及び顕熱ロータ４３は回転している。除湿側流路４０ａに導かれた外気ＯＡ（及び還気ＲＡ）は、除湿ロータ４２を通過することで、含有する水分が吸着され除湿される。その際に発生する吸着熱は、顕熱ロータ４３を通過することで還気ＲＡで冷やされる。
【００２７】
除湿ユニット４０（除湿側流路４０ａ）を通って除湿された空気は、室内機２２に導かれ、室内機熱交換器２６で冷やされて、室内１０ｂに給気ＳＡとして吹き出される。
また、除湿ユニット４０の再生側流路４０ｂに導かれた還気ＲＡは、顕熱ロータ４３で外気ＯＡと熱交換し、更に再生熱交換器５１で加温される。そして、還気ＲＡは、除湿ロータ４２を通るときに吸着剤を加熱して水分を脱着し、除湿ロータ４２を乾燥させる。つまり、除湿ロータ４２の再生に際し、再生熱交換器（温水）によりガスエンジン２３（室外機２１）の排熱を利用している。これに伴い湿った空気は、送風ファン４６により送り出されて外部に排気ＥＡとして排出される。
［暖房］
暖房運転時、導入した外気ＯＡは地中埋設流路３０を通ることで予め暖められ、除湿ユニット４０の除湿側流路４０ａに導かれる。このとき、除湿ロータ４２は停止しており、顕熱ロータ４３は回転又は停止している。除湿側流路４０ａに導かれた外気ＯＡ（及び還気ＲＡ）は、除湿ロータ４２を素通りし、顕熱ロータ４３が回転している場合はこれと熱交換し、顕熱ロータ４３が停止している場合はこれを素通りして室内機２２に導かれる。そして、室内機熱交換器２６で温められて、室内１０ｂに給気ＳＡとして吹き出される。
【００２８】
以上詳述したように、本実施形態によれば、以下に示す効果が得られるようになる。
（１）本実施形態では、導入された外気ＯＡにより持ち込まれる湿度分や屋内で発生する湿度分は、外気ＯＡ及び還気ＲＡの混合空気が除湿側流路４０ａを通る際に、除湿ロータ４２に担持された吸着剤に水分が吸着されて除湿される。そして、吸着剤に吸着された水分は、該吸着剤が再生熱交換器５１にて加熱されることで放出され、再生側流路４０ｂを通る還気ＲＡとともに屋外に排出される。このように、地中埋設流路３０から外気ＯＡを導入する際に、除湿ユニット４０にて外気ＯＡ及び還気ＲＡの混合空気を除湿することができ、例えば室内温度を下げ過ぎることなく除湿を行うことができる。
【００２９】
このように、顕熱処理及び潜熱処理を分けて行うことで、例えば、除湿ユニット４０を割愛した空気調和装置を冷房又は除湿運転して除湿を行う場合のような、室内温度の下げ過ぎや除湿不足による不快感を軽減することができる。
【００３０】
（２）本実施形態では、除湿ロータ４２の吸着剤に吸着された水分の放出（再生）を、ガスエンジン２３（室外機２１）の排熱を利用する再生熱交換器５１（温水）で再生側流路４０ｂを通る還気ＲＡを加熱して行うことができる。
【００３１】
（３）本実施形態では、夏季の冷房又は除湿運転時にガスエンジン２３（室外機２１）の排熱を利用することができるため、室外機２１等の負荷を軽減することができ、且つ、夏季の排熱利用率を高めてより省エネルギー化を図ることができる。
【００３２】
（第２の実施形態）
以下、本発明を具体化した第２の実施形態について図面に従って説明する。なお、第２の実施形態は、除湿側流路及び再生側流路として選択的に切替自在な２つの流路（第１流路及び第２流路）を備えた除湿ユニットを採用したことが第１の実施形態とは異なる構成であるため、同様の部分についてはその詳細な説明は省略する。
【００３３】
図２は、本実施形態に係る空気調和装置を示す回路図である。同図に示されるように、天井裏１０ｃに設置された除湿手段としての除湿ユニット６０は、互いに独立の第１流路６０ａ及び第２流路６０ｂを有する。そして、第１流路６０ａ及び第２流路６０ｂ内には、除湿再生部材を構成する第１熱交換器６１及び第２熱交換器６２がそれぞれ収容されている。これら第１及び第２熱交換器６１，６２のフィンには、シリカゲルやゼオライト等の吸着剤がそれぞれ担持されている。
【００３４】
第１流路６０ａは、空気配管６３ａを介して第１の三方ダンパー７１に接続されるとともに、空気配管６３ｂを介して第２の三方ダンパー７２に接続されている。また、第１流路６０ａは、空気配管６３ｃを介して第３の三方ダンパー７３に接続されるとともに、空気配管６３ｄを介して第４の三方ダンパー７４に接続されている。
【００３５】
同様に、第２流路６０ｂは、空気配管６４ａを介して第１の三方ダンパー７１に接続されるとともに、空気配管６４ｂを介して第２の三方ダンパー７２に接続されている。また、第２流路６０ｂは、空気配管６４ｃを介して第３の三方ダンパー７３に接続されるとともに、空気配管６４ｄを介して第４の三方ダンパー７４に接続されている。
【００３６】
第１の三方ダンパー７１は、地中埋設流路３０の開口端３３に接続されており、第２の三方ダンパー７２は、空気配管６５を介して屋外に開放されている。また、第３の三方ダンパー７３は、空気配管６６を介して室内機２２に接続されており、第４の三方ダンパー７４は、空気配管６７を介して天井裏１０ｃに開放されている。そして、空気配管６５には、送風ファン６８が設置されている。
【００３７】
従って、第１〜第４の三方ダンパー７１〜７４を切り替えることで、第１流路６０ａは、地中埋設流路３０の開口端３３に接続されて該地中埋設流路３０から導入された外気ＯＡ及び還気ＲＡの混合空気を室内機２２に供給可能な状態に切り替わるとともに、第２流路６０ｂは、一側の開口端及び他側の開口端が屋外及び天井裏１０ｃに開放されて還気ＲＡを屋外に排出可能な状態に切り替わる。あるいは、第１流路６０ａは、一側の開口端及び他側の開口端が屋外及び天井裏１０ｃに開放されて還気ＲＡを屋外に排出可能な状態に切り替わるとともに、第２流路６０ｂは、地中埋設流路３０の開口端３３に接続されて該地中埋設流路３０から導入された外気ＯＡ及び還気ＲＡの混合空気を室内機２２に供給可能な状態に切り替わる。
【００３８】
なお、地中埋設流路３０の開口端３３に接続されて該地中埋設流路３０から導入された外気ＯＡ及び還気ＲＡの混合空気を室内機２２（屋内）に供給可能な状態にある第１及び第２流路６０ａ，６０ｂのいずれか一方は、当該流路６０ａ，６０ｂに配置された第１熱交換器６１又は第２熱交換器６２において、空気中の水分を吸着して除湿する（除湿状態）。一方、第１流路６０ａ又は第２流路６０ｂから空気配管６５に導入された還気ＲＡは、送風ファン６８に送られて外部に排気ＥＡとして排出される。
【００３９】
前記冷媒配管２０ａから分岐する冷媒配管７５ａは、冷媒回路切替手段としての四方弁７６に接続されるとともに、該四方弁７６は、冷媒配管７５ｂを介して第１熱交換器６１に接続されている。同様に、前記冷媒配管２０ｂから分岐する冷媒配管７５ｃは、四方弁７６に接続されるとともに、該四方弁７６は、冷媒配管７５ｄを介して第２熱交換器６２に接続されている。そして、冷媒配管７５ａ，７５ｂには、開閉弁７７，７８がそれぞれ設けられている。また、第１及び第２熱交換器６１，６２間は、膨張弁７９を介して接続されている。冷媒配管２０ａ，２０ｂに接続される冷媒配管７５ａ〜７５ｄは、冷媒回路７５を構成する。
【００４０】
従って、例えば冷房運転時、冷媒配管２０ｂを矢印Ｂ方向に流れる冷媒の一部が冷媒配管７５ｃを介して四方弁７６に導かれ、該四方弁７６により冷媒配管７５ｂを介して第１熱交換器６１に導かれたとする。このとき、冷媒の凝縮器として機能する第１熱交換器６１において、冷媒は、第１流路６０ａを流れる空気により熱を奪われて凝縮・液化する。その後、冷媒は、膨張弁７９で減圧され、冷媒の蒸発器として機能する第２熱交換器６２で第２流路６０ｂを流れる空気の熱を奪い気化する。その後、冷媒は、冷媒配管７５ｄ及び四方弁７６を介して冷媒配管７５ａに導かれ、冷媒配管２０ａを流れる冷媒と合流する。
【００４１】
あるいは、冷媒配管２０ｂを矢印Ｂ方向に流れる冷媒の一部が冷媒配管７５ｃを介して四方弁７６に導かれ、該四方弁７６により冷媒配管７５ｄを介して第２熱交換器６２に導かれたとする。このとき、冷媒の凝縮器として機能する第２熱交換器６２において、冷媒は、第２流路６０ｂを流れる空気により熱を奪われて凝縮・液化する。その後、冷媒は、膨張弁７９で減圧され、冷媒の蒸発器として機能する第１熱交換器６１で第１流路６０ａを流れる空気の熱を奪い気化する。その後、冷媒は、冷媒配管７５ｂ及び四方弁７６を介して冷媒配管７５ａに導かれ、冷媒配管２０ａを流れる冷媒と合流する。
【００４２】
なお、冷媒の凝縮器として機能する第１及び第２熱交換器６１，６２のいずれか一方は、冷媒によりその吸着剤を加熱することで吸着した水分を脱着する（加熱手段）。従って、一側の開口端及び他側の開口端が屋外及び天井裏１０ｃ（屋内）に開放されて還気ＲＡを屋外に排出可能な状態にある第１及び第２流路６０ａ，６０ｂのいずれか一方は、還気ＲＡとともに当該熱交換器６１，６２により脱着された水分を屋外に排出する（再生状態）。
【００４３】
ここで、本実施形態の動作について説明する。
まず、冷媒の流れについて説明する。
［冷房］
冷房運転時、冷媒回路２０（室外機熱交換器２５、室内機熱交換器２６）を循環する冷媒の流れは前記第１の実施形態と同様であるため、ここでは冷媒回路７５（第１及び第２熱交換器６１，６２）を循環する冷媒の流れについて説明する。なお、開閉弁７７，７８は開状態にあるものとする。また、第１〜第４の三方ダンパー７１〜７４により、第１及び第２流路６０ａ，６０ｂがそれぞれ再生状態及び除湿状態に切り替えられており、四方弁７６により、第１及び第２熱交換器６１，６２がそれぞれ凝縮器及び蒸発器として機能するように切り替えられているものとする。つまり、第１及び第２流路６０ａ，６０ｂがそれぞれ再生側流路及び除湿側流路を構成しているものとする。
【００４４】
コンプレッサ２４を出て矢印Ｂ方向に流れる冷媒の一部は、冷媒配管７５ｃを通って除湿ユニット６０の四方弁７６に導かれ、更に第１熱交換器６１に導かれる。ここで、冷媒は、還気ＲＡにより熱を奪われて凝縮・液化するとともに、第１熱交換器６１を加温する。その後、膨張弁７９で減圧された冷媒は、第２熱交換器６２で地中埋設流路３０から導入された外気ＯＡ（及び還気ＲＡ）の熱を奪い気化する。このとき、地中埋設流路３０から導入された外気ＯＡ（及び還気ＲＡ）は、第２熱交換器６２で冷やされる。同時に、第２熱交換器６２の吸着剤により、地中埋設流路３０から導入された外気ＯＡ（及び還気ＲＡ）の水分が吸着される。その後、冷媒は、冷媒配管７５ａを通りコンプレッサ２４に戻る。
【００４５】
ここで、第２熱交換器６２（第１熱交換器６１）の吸着剤の水分の飽和時期は、例えばタイマーにより監視されており、当該飽和時期に合わせて第１〜第４の三方ダンパー７１〜７４及び四方弁７６が切り替わるようになっている。このとき、第１〜第４の三方ダンパー７１〜７４により、第１及び第２流路６０ａ，６０ｂがそれぞれ除湿状態及び再生状態に切り替えられ、四方弁７６により、第１及び第２熱交換器６１，６２がそれぞれ蒸発器及び凝縮器として機能するように切り替えられる。第１及び第２流路６０ａ，６０ｂがそれぞれ除湿側流路及び再生側流路を構成することはいうまでもない。従って、四方弁７６に導かれた冷媒は、第２熱交換器６２に導かれ、還気ＲＡにより熱を奪われて凝縮・液化するとともに、飽和状態にある第２熱交換器６２を加温する。その後、膨張弁７９で減圧された冷媒は、第１熱交換器６１で地中埋設流路３０から導入された外気ＯＡ（及び還気ＲＡ）の熱を奪い気化する。このとき、第１熱交換器６１により、地中埋設流路３０から導入された外気ＯＡ（及び還気ＲＡ）の水分が吸着される。その後、冷媒は、冷媒配管７５ａを通りコンプレッサ２４に戻る。
［暖房］
暖房運転時、冷媒回路２０（室外機熱交換器２５、室内機熱交換器２６）を循環する冷媒の流れは前記第１の実施形態と同様である。また、開閉弁７７，７８は閉状態にあり、除湿ユニット６０側に冷媒が導かれることはない。
【００４６】
次に、空気の流れについて説明する。なお、冷房又は暖房運転時、ダンパー３４は開状態にあり、地中埋設流路３０に還気ＲＡが導入されることで適正量の外気ＯＡが導入されるようになっている。
［冷房］
まず、第１〜第４の三方ダンパー７１〜７４により、第１及び第２流路６０ａ，６０ｂがそれぞれ再生状態及び除湿状態に切り替えられており、四方弁７６により、第１及び第２熱交換器６１，６２がそれぞれ凝縮器及び蒸発器として機能するように切り替えられているものとする。
【００４７】
冷房運転時、導入した外気ＯＡは地中埋設流路３０を通ることで予め冷やされ、第１の三方ダンパー７１を通って第２熱交換器６２の配置された第２流路６０ｂに導かれる。第２流路６０ｂに導かれた外気ＯＡ（及び還気ＲＡ）は、第２熱交換器６２を通過することで、含有する水分が吸着され除湿される。そして、第２熱交換器６２を通って除湿された空気は、第３の三方ダンパー７３を通って室内機２２に導かれ、室内機熱交換器２６で冷やされて、室内１０ｂに給気ＳＡとして吹き出される。
【００４８】
また、除湿ユニット６０に導かれた還気ＲＡは、第４の三方ダンパー７４を通って第１熱交換器６１の配置された第１流路６０ａに導かれる。そして、還気ＲＡは、第１熱交換器６１で加熱により脱着された水分とともに、第２の三方ダンパー７２を通って送風ファン４６により送り出され外部に排気ＥＡとして排出される。
【００４９】
そして、前述のタイマーの設定により、第２熱交換器６２（第１熱交換器６１）の吸着剤の水分の飽和時期に達したら、第１〜第４の三方ダンパー７１〜７４及び四方弁７６が切り替わる。これにより、地中埋設流路３０から導入される外気ＯＡ（及び還気ＲＡ）は、第１の三方ダンパー７１を通って第１熱交換器６１の配置された第１流路６０ａに導かれる。第１流路６０ａに導かれた外気ＯＡ（及び還気ＲＡ）は、第１熱交換器６１を通過することで、含有する水分が吸着され除湿される。そして、第１熱交換器６１を通って除湿された空気は、第３の三方ダンパー７３を通って室内機２２に導かれ、室内機熱交換器２６で冷やされて、室内１０ｂに給気ＳＡとして吹き出される。
【００５０】
また、除湿ユニット６０に導かれた還気ＲＡは、第４の三方ダンパー７４を通って第２熱交換器６２の配置された第２流路６０ｂに導かれる。そして、還気ＲＡは、第２熱交換器６２で加熱により脱着された水分とともに、第２の三方ダンパー７２を通って送風ファン４６により送り出され外部に排気ＥＡとして排出される。
［暖房］
暖房運転時、導入した外気ＯＡは地中埋設流路３０を通ることで予め暖められ、除湿ユニット６０を素通りして室内機２２に導かれる。そして、室内機熱交換器２６で温められて、室内１０ｂに給気ＳＡとして吹き出される。
【００５１】
以上詳述したように、本実施形態によれば、前記第１の実施形態における（１）の効果に加えて以下に示す効果が得られるようになる。
（１）本実施形態では、再生状態にある第１及び第２流路６０ａ，６０ｂのいずれか一方に設けられ冷媒の凝縮器として機能する第１熱交換器６１又は第２熱交換器６２に担持された吸着剤を冷媒で加熱することで、該吸着剤に吸着された水分を放出（再生）させることができる。
【００５２】
（２）本実施形態では、第１及び第２熱交換器６１，６２の機能を切り替えて吸着剤を再生することで、水分の飽和状態に停滞することなく連続的に除湿することができる。
（第３の実施形態）
以下、本発明を具体化した第３の実施形態について図面に従って説明する。なお、第３の実施形態は、第２の実施形態において室外機２１の室外機熱交換器２５及び室内機２２を割愛した構成であるため、同様の部分についてはその詳細な説明は省略する。
【００５３】
図３は、本実施形態に係る空気調和装置を示す回路図である。同図に示されるように、本実施形態では、室外機熱交換器２５、室内機２２（室内機熱交換器２６、膨張弁２７）及び冷媒回路２０が割愛されており、除湿ユニット６０に接続される冷媒配管７５ａ，７５ｃは、コンプレッサ２４に直結されている。また、空気配管６６は、室内１０ｂに直に開放されている。
【００５４】
ここで、本実施形態の動作について説明する。
まず、冷媒の流れについて説明する。なお、本実施形態では、前記第１及び第２の実施形態のように冷媒回路２０（室外機熱交換器２５、室内機熱交換器２６）が存在しないことから、該冷媒回路２０を循環する冷媒の流れによる冷房又は暖房運転はない。
［冷房］
冷房運転時、ガスエンジン２３により駆動されるコンプレッサ２４は、冷媒配管７５ａから冷媒を吸入するとともに該吸入した冷媒を圧縮して冷媒配管７５ｃに吐出する。これにより、冷媒は、矢印Ｂ方向に流れ、除湿ユニット６０の四方弁７６に導かれる。なお、四方弁７６に導かれた冷媒が、タイマーにより監視される前記飽和時期に合わせて凝縮器及び蒸発器としてその機能が選択的に切り替えられる第１及び第２熱交換器６１，６２を通過した後、冷媒配管７５ａを通ってコンプレッサ２４に戻ることは前記第２の実施形態と同様である。蒸発器として機能する第１熱交換器６１又は第２熱交換器６２は、冷房運転時の室内機熱交換器２６に準じた機能を有する。
［暖房］
暖房運転時、ガスエンジン２３により駆動されるコンプレッサ２４は、冷媒配管７５ｃから冷媒を吸入するとともに該吸入した冷媒を圧縮して冷媒配管７５ａに吐出する。これにより、冷媒は、矢印Ａ方向に流れ、除湿ユニット６０の四方弁７６に導かれる。そして、四方弁７６に導かれた冷媒は、凝縮器として機能する第１及び第２熱交換器６１，６２のいずれか一方で地中埋設流路３０から導入された外気ＯＡ（及び還気ＲＡ）を加熱するとともに、熱を奪われて凝縮・液化する。その後、膨張弁７９で減圧された冷媒は、蒸発器として機能する第１及び第２熱交換器６１，６２のいずれか他方で還気ＲＡから熱を吸収し気化する。その後、冷媒は、四方弁７６に導かれ、冷媒配管７５ｃを通ってコンプレッサ２４に戻る。凝縮器として機能する第１熱交換器６１又は第２熱交換器６２は、暖房運転時の室内機熱交換器２６に準じた機能を有する。
【００５５】
次に、空気の流れについて説明する。なお、冷房又は暖房運転時、ダンパー３４は開状態にあり、地中埋設流路３０に還気ＲＡが導入されることで適正量の外気ＯＡが導入されるようになっている。
［冷房］
まず、第１〜第４の三方ダンパー７１〜７４により、第１及び第２流路６０ａ，６０ｂがそれぞれ再生状態及び除湿状態に切り替えられており、四方弁７６により、第１及び第２熱交換器６１，６２がそれぞれ凝縮器及び蒸発器として機能するように切り替えられているものとする。
【００５６】
冷房運転時、導入した外気ＯＡは地中埋設流路３０を通ることで予め冷やされ、第１の三方ダンパー７１を通って第２熱交換器６２の配置された第２流路６０ｂに導かれる。第２流路６０ｂに導かれた外気ＯＡ（及び還気ＲＡ）は、第２熱交換器６２を通過することで、含有する水分が吸着され除湿される。そして、第２熱交換器６２を通って除湿・冷却された空気は、第３の三方ダンパー７３を通って室内１０ｂに給気ＳＡとして吹き出される。
【００５７】
また、除湿ユニット６０に導かれた還気ＲＡは、第４の三方ダンパー７４を通って第１熱交換器６１の配置された第１流路６０ａに導かれる。そして、還気ＲＡは、第１熱交換器６１で加熱により脱着された水分とともに、第２の三方ダンパー７２を通って送風ファン４６により送り出され外部に排気ＥＡとして排出される。
【００５８】
そして、前述のタイマーの設定により、第２熱交換器６２（第１熱交換器６１）の吸着剤の水分の飽和時期に達したら、第１〜第４の三方ダンパー７１〜７４及び四方弁７６が切り替わる。これにより、地中埋設流路３０から導入される外気ＯＡ（及び還気ＲＡ）は、第１の三方ダンパー７１を通って第１熱交換器６１の配置された第１流路６０ａに導かれる。第１流路６０ａに導かれた外気ＯＡ（及び還気ＲＡ）は、第１熱交換器６１を通過することで、含有する水分が吸着され除湿される。そして、第１熱交換器６１を通って除湿・冷却された空気は、第３の三方ダンパー７３を通って室内１０ｂに給気ＳＡとして吹き出される。
【００５９】
また、除湿ユニット６０に導かれた還気ＲＡは、第４の三方ダンパー７４を通って第２熱交換器６２の配置された第２流路６０ｂに導かれる。そして、還気ＲＡは、第２熱交換器６２で加熱により脱着された水分とともに、第２の三方ダンパー７２を通って送風ファン４６により送り出され外部に排気ＥＡとして排出される。
［暖房］
暖房運転時、導入した外気ＯＡは地中埋設流路３０を通ることで予め暖められ、除湿ユニット６０に導かれる。除湿ユニット６０に導かれた外気ＯＡ（及び還気ＲＡ）は、凝縮器として機能する第１熱交換器６１又は第２熱交換器６２で加熱されて、室内１０ｂに給気ＳＡとして吹き出される。
【００６０】
以上詳述したように、本実施形態によれば、前記第２の実施形態の効果に加えて以下に示す効果が得られるようになる。
（１）本実施形態では、除湿状態にある第１及び第２流路６０ａ，６０ｂのいずれか一方に設けられ冷媒の蒸発器として機能する第１熱交換器６１又は第２熱交換器６２によって、屋内に供給される空気（外気ＯＡ及び還気ＲＡ）の熱を奪うことで、冷房装置として機能させることができる。
【００６１】
（第４の実施形態）
以下、本発明を具体化した第４の実施形態について図面に従って説明する。なお、第４の実施形態は、前記第１の実施形態の構成にコージェネレーションユニットを組み合せた構成であるため、同様の部分についてはその詳細な説明は省略する。
【００６２】
図４は、本実施形態に係る空気調和装置を示す回路図である。同図に示されるように、屋外に設置された発電ユニットとしてのコージェネレーションユニット８１には、ガスエンジン８２及び該ガスエンジン８２により駆動される発電機８３が設置されている。ガスエンジン８２は、供給されるガスの燃焼によって駆動される。そして、ガスエンジン８２の排気ガスは、排熱熱交換器８４を通過して外部に排出される。
【００６３】
本実施形態では、再生熱交換器５１に代えて、コージェネレーションユニット８１に接続された再生熱交換器８６が設置されている。この再生熱交換器８６は、前記排熱熱交換器８４に接続された水配管８５ａに接続されている。水配管８５ａは、排熱熱交換器８４を介して温水ポンプ８７に接続されている。従って、水配管８５ａを流れる温水は、ガスエンジン８２の排熱との間で熱交換する。
【００６４】
温水ポンプ８７は、水配管８５ｂを介して開閉弁８８に接続されている。そして、開閉弁８８は、水配管８５ｃを介して再生熱交換器８６に接続されている。従って、開閉弁８８が開状態にあるとき、温水ポンプ８７が駆動されると、ガスエンジン８２の排熱との間で熱交換する温水が水配管８５ａ〜８５ｃを循環する。水配管８５ａ〜８５ｃは、発電側温水回路８５を構成する。そして、前記再生熱交換器８６は、発電側温水回路８５を循環する温水によって前記再生側流路４０ｂを通る還気ＲＡを加熱する。
【００６５】
ここで、本実施形態の動作について説明する。なお、冷房又は暖房運転時における冷媒の流れについては前記第１の実施形態と同様であるため、主として空気の流れについて説明する。なお、冷房又は暖房運転時、ダンパー３４は開状態にあり、地中埋設流路３０に還気ＲＡが導入されることで適正量の外気ＯＡが導入されるようになっている。
［冷房］
冷房運転時、導入した外気ＯＡが地中埋設流路３０を通ることで予め冷やされること、除湿ユニット４０の除湿側流路４０ａに導かれた外気ＯＡ（及び還気ＲＡ）が除湿ロータ４２を通過することで除湿されて室内機２２に導かれることは、前記第１の実施形態と同様である。
【００６６】
一方、除湿ユニット４０の再生側流路４０ｂに導かれた還気ＲＡは、顕熱ロータ４３で外気ＯＡと熱交換し、更に再生熱交換器８６で加温される。そして、還気ＲＡは、除湿ロータ４２を通るときに吸着剤を加熱して水分を脱着し、除湿ロータ４２を乾燥させる。つまり、本実施形態では、除湿ロータ４２の再生に際し、再生熱交換器８６（温水）によりコージェネレーションユニット８１（ガスエンジン８２）の排熱を利用している。これに伴い湿った空気が、送風ファン４６により送り出されて外部に排気ＥＡとして排出されることは、前記第１の実施形態と同様である。
［暖房］
暖房運転時における空気の流れについては前記第１の実施形態と同様である。
【００６７】
以上詳述したように、本実施形態によれば、前記第１の実施形態における（１）の効果に加えて以下に示す効果が得られるようになる。
（１）本実施形態では、除湿ロータ４２の吸着剤に吸着された水分の放出（再生）を、コージェネレーションユニット８１（ガスエンジン８２）の排熱を利用する再生熱交換器８６（温水）で再生側流路４０ｂを通る還気ＲＡを加熱して行うことができる。
【００６８】
（２）本実施形態では、夏季の冷房又は除湿運転時にコージェネレーションユニット８１（ガスエンジン８２）の排熱を利用することができるため、室外機２１等の負荷を軽減することができ、且つ、夏季の排熱利用率を高めてより省エネルギー化を図ることができる。
【００６９】
（第５の実施形態）
以下、本発明を具体化した第５の実施形態について図面に従って説明する。なお、第５の実施形態は、第４の実施形態の冷媒に係る構成を割愛したものであるため、同様の部分についてはその詳細な説明は省略する。
【００７０】
図５は、本実施形態に係る空気調和装置を示す回路図である。同図に示されるように、本実施形態では、室外機２１、室内機２２及び冷媒回路２０が割愛されている。そして、除湿側流路４０ａに接続される空気配管４４は、室内１０ｂに直に開放されており、再生側流路４０ｂに接続される空気配管４４は、三方ダンパー９１に接続されている。三方ダンパー９１は、空気配管９２を介して室内１０ｂに直に開放されるとともに、空気配管９３を介して屋外に開放されている。そして、除湿側流路４０ａには、顕熱ロータ４３よりも空気配管４４寄りに配置された送風ファン９４が設置されている。従って、除湿側流路４０ａに導入された外気ＯＡ（及び還気ＲＡ）は、送風ファン９４に送られて空気配管４４を介して室内１０ｂに給気ＳＡとして吹き出される。
【００７１】
ここで、本実施形態の空気の流れに係る動作について説明する。なお、ダンパー３４は開状態にあり、地中埋設流路３０に還気ＲＡが導入されることで適正量の外気ＯＡが導入されるようになっている。
［夏期除湿］
導入した外気ＯＡは地中埋設流路３０を通ることで予め冷やされ、除湿ユニット４０の除湿側流路４０ａに導かれる。このとき、除湿ロータ４２及び顕熱ロータ４３は回転している。除湿側流路４０ａに導かれた外気ＯＡ（及び還気ＲＡ）は、除湿ロータ４２を通過することで、含有する水分が吸着され除湿される。その際に発生する吸着熱は、顕熱ロータ４３を通過することで還気ＲＡで冷やされる。除湿ユニット４０（除湿側流路４０ａ）を通って除湿された空気は、送風ファン９４に送られて空気配管４４を介して室内１０ｂに給気ＳＡとして吹き出される。
【００７２】
また、除湿ユニット４０の再生側流路４０ｂに導かれた還気ＲＡは、顕熱ロータ４３で外気ＯＡと熱交換し、更に再生熱交換器８６で加温される。そして、還気ＲＡは、除湿ロータ４２を通るときに吸着剤を加熱して水分を脱着し、除湿ロータ４２を乾燥させる。つまり、除湿ロータ４２の再生に際し、再生熱交換器８６（温水）によりコージェネレーションユニット８１（ガスエンジン８２）の排熱を利用している。三方ダンパー９１は、空気配管９３側が開状態になっており、湿った空気は、前記送風ファン４６により送り出されて外部に排気ＥＡとして排出される。
［暖房］
導入した外気ＯＡは地中埋設流路３０を通ることで予め暖められ、除湿ユニット４０の除湿側流路４０ａに導かれる。このとき、除湿ロータ４２は停止しており、顕熱ロータ４３は回転又は停止している。除湿側流路４０ａに導かれた外気ＯＡ（及び還気ＲＡ）は、除湿ロータ４２を素通りし、顕熱ロータ４３が回転している場合はこれと熱交換し、顕熱ロータ４３が停止している場合はこれを素通りして、送風ファン９４に送られ室内１０ｂに給気ＳＡとして吹き出される。
【００７３】
また、除湿ユニット４０の再生側流路４０ｂに導かれた還気ＲＡは、顕熱ロータ４３が回転している場合はこれと熱交換し、顕熱ロータ４３が停止している場合はこれを素通りして、更に再生熱交換器８６で加温される。つまり、還気ＲＡの加温に際し、再生熱交換器８６（温水）によりコージェネレーションユニット８１（ガスエンジン８２）の排熱を利用している。三方ダンパー９１は、空気配管９２側が開状態になっており、加温された空気は、前記送風ファン４６に送られ室内１０ｂに給気ＳＡとして吹き出される。これにより、室内１０ｂが暖房される。
【００７４】
以上詳述したように、本実施形態によれば、前記第１の実施形態における（１）の効果に加えて以下に示す効果が得られるようになる。
（１）本実施形態では、極めて簡素な構造で、除湿運転及び暖房運転を行うことができる。
【００７５】
なお、上記実施形態は以下のように変更してもよい。
・前記第１の実施形態において、空気配管４４は、室内機２２に接続することなく、室内１０ｂに直に開放してもよい。この場合、室内機２２及び除湿ユニット４０を独立的に配置することができる。
【００７６】
・前記第１の実施形態において、排熱熱交換器２９は、ガスエンジン２３に設けられた冷却液回路を循環する冷却液と熱交換させてもよい。
・前記第４及び第５の実施形態において、排熱熱交換器８４は、ガスエンジン８２に設けられた冷却液回路を循環する冷却液と熱交換させてもよい。
【００７７】
・前記第４及び第５の実施形態において、発電ユニットとしてのコージェネレーションユニット８１に代えて、同様に熱と電気とを発生する燃料電池を採用してもよい。
・前記各実施形態において、地中埋設流路３０の途中部分３２は、屋外で地中に埋設されていてもよい。
【００７８】
次に、上記実施形態及び別例から把握できる技術的思想について以下に追記する。
・請求項１〜３のいずれか一項に記載の空気調和装置において、
前記除湿再生部材は、回転に伴い前記除湿側流路及び前記再生側流路間を移動する除湿ロータであることを特徴とする空気調和装置。
【図面の簡単な説明】
【００７９】
【図１】本発明の第１の実施形態を示す回路図。
【図２】本発明の第２の実施形態を示す回路図。
【図３】本発明の第３の実施形態を示す回路図。
【図４】本発明の第４の実施形態を示す回路図。
【図５】本発明の第５の実施形態を示す回路図。
【符号の説明】
【００８０】
２０，７５…冷媒回路、２１…室外機、２２…室内機、２３，８２…ガスエンジン、２４…コンプレッサ、２５…室外機熱交換器、２６…室内機熱交換器、３０…地中埋設流路、３１，３３…開口端、３２…途中部分、４０，６０…除湿ユニット（除湿手段）、４０ａ…除湿側流路、４０ｂ…再生側流路、４２…除湿ロータ（除湿再生部材）、５０…温水回路、５１，８６…再生熱交換器（加熱手段）、６０ａ，６０ｂ…流路、６０ａ…第１流路（除湿側流路又は再生側流路）、６０ｂ…第２流路（除湿側流路又は再生側流路）、６１…第１熱交換器（除湿再生部材、凝縮器として機能する加熱手段）、６２…第２熱交換器（除湿再生部材、凝縮器として機能する加熱手段）、７６…四方弁（冷媒回路切替手段）、８１…コージェネレーションユニット（発電ユニット）、８５…発電側温水回路。
【図１】
2010121832.tif 000003
【図２】
2010121832.tif 000004
【図３】
2010121832.tif 000005
【図４】
2010121832.tif 000006
【図５】
2010121832.tif 000007